(57)【要約】【課題】Mobile IPv6端末からパケットを送信する際に、容易な設定により、送信パケットの宛先、種類によってMobileIPv6通信ではなく通常のIPv6通信を利用できるようにする。【解決手段】  移動端末にパケット通信の宛先毎または種類毎にホームアドレスと気付アドレスとのいずれを選択するべきかを示す選択リストを設け、この選択リストの内容をユーザが設定することにより、パケット通信の宛先毎または種類毎に、送信するパケットの送信元アドレスとしてホームアドレスまたは気付アドレスを選択する。【選択図】図２
2008177985.tif 000002
【特許請求の範囲】
【請求項１】
移動先のネットワークからパケットを送信する手段を備え、
この送信する手段は、移動先のネットワークで割り当てられた気付アドレスをネットワーク内のホームエージェントに登録し、このホームエージェントを経由して送信先端末にパケットが転送されるように、パケットの送信元アドレスをあらかじめ固有に割り当てられたホームアドレスとするアドレス処理手段を含む
移動端末において、
前記アドレス処理手段は、パケットが前記ホームエージェントを経由することなく送信先端末に送られるように、パケットの送信元アドレスとして気付アドレスを選択可能な構成であり、
前記アドレス処理手段がホームアドレスと気付アドレスとのいずれを選択するべきかをパケット通信の宛先毎または種類毎に示す選択リストが設けられ、
この選択リストの内容をユーザが設定するための設定手段を備えた
ことを特徴とする移動端末。
【請求項２】
前記選択リストには、宛先アドレスと、その宛先アドレスに対して送信すべきパケットの種類とが設定される請求項１記載の移動端末。
【請求項３】
ネットワークとのインターフェースが複数設けられ、前記選択リストが前記インターフェース毎に設けられた請求項１記載の移動端末。
【請求項４】
移動端末にあらかじめ固有に割り当てられたホームアドレスとその移動端末が移動先のネットワークで割り当てられた気付アドレスとをネットワーク内のホームエージェントで管理し、
移動端末から送信されるパケットの送信元アドレスがホームアドレスの場合には、そのパケットを前記ホームエージェントを経由して送信先端末に転送する
パケット送信処理方法において、
移動端末にパケット通信の宛先毎または種類毎にホームアドレスと気付アドレスとのいずれを選択するべきかを示す選択リストを設け、
この選択リストの内容をユーザが設定することにより、パケット通信の宛先毎または種類毎に、送信するパケットの送信元アドレスとしてホームアドレスまたは気付アドレスを選択する
パケット送信処理方法。
【発明の詳細な説明】
【技術分野】
【０００１】
本発明は音声、映像、データ等のパケットを送信する技術に関する。特に、Mobile IPv6通信によるパケット送信に関する。
【背景技術】
【０００２】
ＩＰ通信を実施するネットワーク構成が多様化し、また、詳細なパケットフィルタやQoS(Quality of Service)も必須になり、パケットの送信処理形式がより多様化してきている。このような状況において、移動端末でＩＰ通信を実施する場合に、端末の移動に伴って接続先のネットワークセグメントが変わっても通信を途切れさせずに維持できることが要求される。このような要求を満たすため、Mobile IPv6の標準化が進められてきた。
【０００３】
Mobile IPv6では、Mobile IPv6端末はその移動先でＩＰアドレスを取得するとともに、その端末に固有のホームアドレス（Home Address）が割り当てられる。移動先で取得するＩＰアドレスを気付アドレス（Care of Address）という。また、ネットワーク内には、各Mobile IPv6端末のホームアドレスと気付アドレスとの対応を管理するホームエージェント（Home Agent、HA）と呼ばれるノードが設けられる。Mobile IPv6端末は、移動先で新たな気付アドレスを取得すると、ホームエージェントに位置情報を登録し、他の端末に送信するパケットのソースアドレスとしてホームアドレスを用い、そのパケットをカプセル化してホームエージェントに送信する。ホームエージェントでは、カプセル化されたパケットを受け取ると、そのカプセル化を解き、中のパケットを送信先端末に転送する。また、外部の端末からのホームアドレスを宛先アドレスとするパケットは、一旦ホームエージェントで受信され、気付アドレスを宛先アドレスとするパケットにカプセル化されてMobile IPv6端末に転送される。
【０００４】
このようにMobile IPv6では、Mobile IPv6端末から送信されるすべてのパケットがホームエージェントを経由して転送される。このため、以下の問題が生じる。
【０００５】
第一の問題点は、Mobile IPv6通信処理負荷が増加することである。その理由は、Mobile IPv6通信を必要としない送信先端末に対しても、通常のIPv6通信より負荷の大きいMobile IPv6通信処理を行なう必要があるため、Mobile IPv6端末での不必要な処理負荷が増えるからである。
【０００６】
第二の問題点は、Mobile IPv6通信を行なうためにはホームエージェント宛にパケットを送信する必要があることから、不必要なHAに対して負荷が増加することである。その理由は、Mobile IPv6端末とホームエージェントとの間で位置登録を実施した後は、Mobile IPv6端末は、通常のIPv6通信でも良いパケットであっても、Mobile IPv6通信を実施してしまうためである。そのため、ホームエージェントに対して必ず通信を実施し、ホームエージェントでMobile IPv6処理が必要になり、不必要な負荷が増える。
【０００７】
第三の問題点は、ホームエージェントに送信するパケットが増えるため、ホームエージェントの存在するネットワークにパケットが集中し、ネットワーク負荷を増加させることである。
【０００８】
第四の問題点は、通常のIPv6通信においてはMobile IPv6端末と送信先端末に到達性がある場合でも、ホームエージェントと送信先端末との間に到達性がない可能性があり、その場合には、Mobile IPv6端末と送信先端末との間で通信できなくなることである。
【０００９】
このような問題点の少なくとも一部を解決する技術として、特許文献１には、移動先となるネットワークにフォーリンエージェント装置ＦＡを設け、移動端末と送信先端末とが同一ネットワークに存在するときには、移動端末から送信されるパケットの送信元アドレスを気付アドレスに変換して転送することが開示されている。また、特許文献２にも、移動先のネットワークに設けられた外部エージェントが移動端末からの送信元アドレスをホームアドレスから気付アドレスに置換することが記載され、さらに、特許文献２の第９２段落には、外部エージェントの代わりに端末自身が送信元アドレスを修正できることが開示されている。
【００１０】
【特許文献１】特開２００３−０８７１７３号公報
【特許文献２】特表２００３−５２１１３７号公報
【発明の開示】
【発明が解決しようとする課題】
【００１１】
しかし、特許文献１に記載の技術では、移動端末の移動先のネットワーク内でのみホームエージェントの介在なしでＩＰ通信が可能となるが、他のネットワークの端末と通信を行なうためにはホームエージェントの介在が必要となる。また、特許文献２に記載の技術において、移動端末からのパケットの送信元アドレスを気付アドレスに変換するためには、その前にサービス品質セッションを構成する処理が必要となる。
【００１２】
本発明は、以上の課題を解決し、より柔軟に、送信パケットの宛先およびパケットの種類によってMobile IPv6通信ではなく通常のIPv6通信を行なうことのできる移動端末およびパケット送信処理方法を提供することを目的とする。
【課題を解決するための手段】
【００１３】
本発明の移動端末は、移動先のネットワークからパケットを送信する手段を備え、この送信する手段は、移動先のネットワークで割り当てられた気付アドレスをネットワーク内のホームエージェントに登録し、このホームエージェントを経由して送信先端末にパケットが転送されるように、パケットの送信元アドレスをあらかじめ固有に割り当てられたホームアドレスとするアドレス処理手段を含む移動端末において、前記アドレス処理手段は、パケットが前記ホームエージェントを経由することなく送信先端末に送られるように、パケットの送信元アドレスとして気付アドレスを選択可能な構成であり、前記アドレス処理手段がホームアドレスと気付アドレスとのいずれを選択するべきかをパケット通信の宛先毎または種類毎に示す選択リストが設けられ、この選択リストの内容をユーザが設定するための設定手段を備えたことを特徴とする。
【００１４】
選択リストには、宛先アドレスと、その宛先アドレスに対して送信すべきパケットの種類とが設定される。
【００１５】
移動端末にネットワークとのインターフェースが複数設けられている場合には、選択リストをインターフェース毎に設ける。
【００１６】
本発明のパケット送信処理方法は、移動端末にあらかじめ固有に割り当てられたホームアドレスとその移動端末が移動先のネットワークで割り当てられた気付アドレスとをネットワーク内のホームエージェントで管理し、移動端末から送信されるパケットの送信元アドレスがホームアドレスの場合には、そのパケットを前記ホームエージェントを経由して送信先端末に転送するパケット送信処理方法において、移動端末にパケット通信の宛先毎または種類毎にホームアドレスと気付アドレスとのいずれを選択するべきかを示す選択リストを設け、この選択リストの内容をユーザが設定することにより、パケット通信の宛先毎または種類毎に、送信するパケットの送信元アドレスとしてホームアドレスまたは気付アドレスを選択する。送信元アドレスが気付アドレスとなっているパケットは、ホームエージェントを経由することなく直接送信先端末に転送される。
【発明の効果】
【００１７】
本発明では、Mobile IPv6に対応した移動端末において、ホームエージェントとの位置登録完了後、送信先端末との通信で送信元アドレスにホームアドレスを用いるMobile IPv6通信にするか、送信元アドレスに気付アドレスを用いるIPv6通信にするかを設定可能なリストを構築し、そのリストをもとに、送信時にホームエージェント経由の通信を実施するか通常のIPv6通信を実施するかを選択する。これにより、送信元アドレスにホームエージェントを用いるMobile IPv6通信上で送信元アドレスに気付アドレスを用いるIPv6通信も可能になり、不要なパケット処理が軽減され、より多様な通信が可能になる。また、不要な処理がなくなるため、システム上での負荷が軽減され、効率のよい通信が可能となる。
【発明を実施するための最良の形態】
【００１８】
図１は本発明を実施するネットワークの構成例を示す。
【００１９】
移動端末１１はMobile IPv6端末であり、ネットワーク内のホームエージェント１３と通信を行なって、位置情報を登録する。ホームエージェント１３は、移動端末１１にあらかじめ固有に割り当てられたホームアドレスと、その移動端末１１が移動先のネットワークでルータ１２により割り当てられた気付アドレスとを管理する。ホームエージェント１３への位置登録後、移動端末１１は、送信先端末１４との通信に関して、通常、送信元アドレスとしてホームアドレスを用い、ホームエージェントを経由するMobile IPv6通信として処理する。送信元アドレスをホームアドレスとするパケットはルータ１２を介してホームエージェント１３に転送され、そこから、送信先端末１４に転送される。
【００２０】
本発明では、移動端末１１にはパケット通信の宛先毎または種類毎にホームアドレスと気付アドレスとのいずれを選択するべきかを示す気付アドレス選択リストが設けられ、この気付アドレス選択リストの内容をユーザが設定することにより、パケット通信の宛先毎または種類毎に、送信するパケットの送信元アドレスとしてホームアドレスまたは気付アドレスを選択することができる。送信元アドレスが気付アドレスとなっているパケットは、ホームエージェント１３を経由することなく直接送信先端末１４に転送される。
【００２１】
本発明によれば、IPv6通信では到達性があるが、Mobile IPv6通信を用いてホームエージェント経由で接続した場合には到達性がないネットワークに端末が存在する場合でも、送信元アドレスを気付アドレスにすることで、通常のIPv6通信に変更することが可能である。これにより、Mobile IPv6端末において、送信先端末との到達性が確保できる。
【００２２】
また、Mobile IPv6通信をする必要のない端末をあらかじめ設定することができるので、不必要なMobile IPv6通信を行なう必要がなく、移動端末、ホームエージェント、そしてホームエージェントの存在するネットワークのそれぞれにおいて、パケット処理負荷が軽減される。
【実施例１】
【００２３】
図２は本発明第一実施例の移動端末の機能ブロックの構成例を示す。この移動端末１１は、移動先のネットワークからパケットを送信する手段として、アプリケーション２１からパケット送信依頼を受取ってパケットを生成するパケット生成部２２と、生成されたパケットをネットワークに送信するパケット送信部２６とを備え、パケット生成部２２には、移動先のネットワークで割り当てられた気付アドレスをネットワーク内のホームエージェントに登録し、このホームエージェントを経由して送信先端末にパケットが転送されるように、パケットの送信元アドレスをあらかじめ固有に割り当てられたホームアドレスとする送信元アドレス選択処理部２４と、パケット構築部２５を含む。送信元アドレス選択処理部２４は、パケットがホームエージェントを経由することなく送信先端末に送られるように、パケットの送信元アドレスとして気付アドレスを選択可能な構成であり、送信元アドレス選択処理部２４がホームアドレスと気付アドレスとのいずれを選択するべきかをパケット通信の宛先毎または種類毎に示す気付アドレス選択リスト２３がパケット生成部２２内に設けられ、この選択リストの内容をユーザが設定するための設定部２７を備える。
【００２４】
図３は処理フローを示す。アプリケーション２１からのパケット送信依頼３１をパケット生成部２２で受信３２すると、送信元アドレス選択処理部２４は、パケットを送信するときの送信元アドレスを指定するため、気付アドレス選択リスト２３を検索３３する。気付アドレス選択リスト２３に該当する宛先またはパケットの種類がある場合には送信元アドレスを気付アドレス３４とし、パケット構築部２５において通常のIPv6パケットと同様のパケットを構築３６し、パケット送信部２６からパケットを送信３８する。気付アドレス選択リスト２３を検索３３しても該当する項目がない場合には、通常のMobile IPv6通信と同様に送信元アドレス３５とし、パケット構築部２５においてMobile IPv6パケットを構築３７し、パケット送信部２６からパケットを送信３８する。
【００２５】
図４は気付アドレス選択リスト２３の一例を示す。このリストには、気付アドレスを送信元アドレスとして使用したい送信先の宛先アドレス、マスク情報およびパケットの種類が、ユーザの設定によって登録される。パケットの種類は、tel netやftp等によって、送信元アドレスに気付アドレスを使うかホームアドレスを使うかを、ユーザの意向によって選択できる。
【実施例２】
【００２６】
図５は本発明第二実施例の移動端末の機能ブロックの構成例を示す。この実施例の基本的構成は第一実施例と同様であるが、端末にネットワークとのインターフェースが複数設けられ、気付アドレス選択リスト２３がリストがインターフェース毎に設けられたことが異なる。送信元アドレス選択処理部２４は、Mobile IPv6を起動しているインターフェースを判断し、そのインターフェースに対応する気付アドレス選択リスト２３を検索する。
【００２７】
ネットワークとのインターフェースが複数設けられている場合、Mobile IPv6を起動するインターフェースによってネットワークが相違し、送信先端末への到達性の有無が変わることが考えられる。本実施例では、インターフェース毎に気付アドレス選択リストを設けることにより、到達性を確保することが可能にある。また、インターフェース毎に気付アドレス選択リストを設けることにより、よりユーザに優位な設定も容易になる。
【図面の簡単な説明】
【００２８】
【図１】本発明を実施するネットワークの構成例を示す図。
【図２】移動端末の機能ブロックの構成例を示す図。（実施例１）
【図３】処理フローを示す図。
【図４】気付アドレス選択リストの一例を示す図。
【図５】移動端末の機能ブロックの構成例を示す図。（実施例２）
【符号の説明】
【００２９】
１１  移動端末
１２  ルータ
１３  ホームエージェント
１４  送信先端末
２１  アプリケーション
２２  パケット生成部
２３  気付アドレス選択リスト
２４  送信元アドレス選択処理部
２５  パケット構築部
２６  パケット送信部
２７  設定部
【図１】
2008177985.tif 000003
【図２】
2008177985.tif 000004
【図３】
2008177985.tif 000005
【図４】
2008177985.tif 000006
【図５】
2008177985.tif 000007